(57)【要約】【課題】充電中の安全性を確保しつつ複数台の電気自動車を同時に充電可能とする。【解決手段】本実施形態の電気自動車用充電スタンドは、スタンド本体１内に複数の収納空所８が縦方向に並べて設けられている。そして、それぞれにコンセント２０が配設されている収納空所（収納空所８のうちのコンセントユニット１０の筐体１１内部）が扉１３によって個別に閉塞できる。したがって、充電ケーブル１００の盗難防止や悪戯防止などの安全性を確保しつつ複数台の電気自動車ＥＶを同時に充電することが可能となる。【選択図】        図１
2010279181.tif 000002
【特許請求の範囲】
【請求項１】
電気自動車を駐車する地面に立設される筒状のスタンド本体と、電気自動車を充電するための充電ケーブルの電源プラグが挿抜自在に接続される複数のコンセントと、スタンド本体の周面に対して回動自在に設けられた複数の扉とを備え、
スタンド本体は、複数の扉によって個別且つ開閉自在に閉塞される複数の収納空所を内部に有し、これら複数の収納空所内にそれぞれコンセントが配設されていることを特徴とする電気自動車用充電スタンド。
【請求項２】
スタンド本体に設けられる複数の扉のうちの少なくとも一つは、スタンド本体の周方向において他の扉と異なる位置に設けられることを特徴とする請求項１記載の電気自動車用充電スタンド。
【請求項３】
複数の収納空所は、スタンド本体内部において縦方向に並設されていることを特徴とする請求項１又は２記載の電気自動車用充電スタンド。
【請求項４】
コンセントを保持する筐体に扉が回動自在に枢着されてなる複数のコンセントユニットを備え、これら複数のコンセントユニットがスタンド本体の各収納空所内にそれぞれ着脱自在に収納されてなることを特徴とする請求項１〜３の何れか１項に記載の電気自動車用充電スタンド。
【発明の詳細な説明】
【技術分野】
【０００１】
本発明は、自動車専用道路のサービスエリアや商業施設の駐車場、あるいは集合住宅の駐車場などに設置される電気自動車用充電スタンドに関するものである。
【背景技術】
【０００２】
近年、二酸化炭素の排出量や石油（ガソリンや軽油など）の消費量を削減することができて地球環境に優しい自動車として、内燃機関（ガソリンエンジンやディーゼルエンジンなど）と電動機（モータ）を併用して走行するハイブリッド自動車や電動機のみで走行する電気自動車が注目を集めている。また、ハイブリッド自動車の形態として、現在は走行中に二次電池を充電するものが主流であるが、家庭用の交流電源（商用交流電源）を用いて駐車中に二次電池を充電し、初めに電動機で走行するとともに二次電池の残容量が低下したら内燃機関で走行するものも近く市販される予定である。尚、後者の形態の自動車はプラグインハイブリッド自動車と呼ばれている。
【０００３】
ところで、電気自動車やプラグインハイブリッド自動車（以下では、これら２種類の自動車を合わせて「電気自動車」と呼ぶ。）が普及するためには、二次電池を充電するためのインフラを整備する必要がある。具体的には、自動車専用道路のサービスエリアや商業施設の駐車場、あるいは集合住宅の駐車場などの公共の場（パブリック・スペース）に不特定多数の人が利用可能な電源（コンセント）を多数設置しなければならない。ここで、屋外にコンセントを設置するものとして、下部が地中に埋設されたポール内にコンセントを配設し、住戸内（屋内）の住宅用分電盤から分岐された給電線を前記コンセントに接続してなるコンセント装置（電源ポールとも呼ばれる。）が従来より提供されている（例えば、特許文献１参照）。特許文献１に記載されている電源ポールは、円筒状のポールの上部に扉付きのケーシングが取り付けられ、２つのコンセントがケーシング内に収納されて構成されており、ケーシングの扉を開いた状態でケーシング内のコンセントに電源プラグが差込接続されるものである。
【先行技術文献】
【特許文献】
【０００４】
【特許文献１】特開平１０−２２３３３９号公報
【発明の概要】
【発明が解決しようとする課題】
【０００５】
ところで、電気自動車とコンセントの電気的な接続は、通常、それぞれの電気自動車に用意された専用の充電ケーブルによって行われる。そのため、パブリック・スペースに設置される電気自動車用充電スタンドにおいては、悪戯や盗難を目的として充電中の充電ケーブルがコンセントから抜き取られることを防止するため、さらには充電中にコンセントや電源プラグに人の手が触れることを防止するため、充電ケーブルの電源プラグがコンセントに差込接続された状態で扉を閉じ且つ施錠できることが望ましい。これに対して特許文献１に記載されている電源ポールを電気自動車用充電スタンドに利用した場合、扉で閉塞されるケーシング内に２つのコンセントが設置されており、一方のコンセントに充電ケーブルを接続して１台の電気自動車を充電している間は扉が閉じられているので、他方のコンセントに充電ケーブルを接続することができず、実質的に１台の電源ポールでは同時に複数台の電気自動車を充電することが困難であった。
【０００６】
本発明は上記事情に鑑みて為されたものであり、その目的とするところは、充電中の安全性を確保しつつ複数台の電気自動車を同時に充電することが可能な電気自動車用充電スタンドを提供することにある。
【課題を解決するための手段】
【０００７】
請求項１の発明は、上記目的を達成するために、電気自動車を駐車する地面に立設される筒状のスタンド本体と、電気自動車を充電するための充電ケーブルの電源プラグが挿抜自在に接続される複数のコンセントと、スタンド本体の周面に対して回動自在に設けられた複数の扉とを備え、スタンド本体は、複数の扉によって個別且つ開閉自在に閉塞される複数の収納空所を内部に有し、これら複数の収納空所内にそれぞれコンセントが配設されていることを特徴とする。
【０００８】
請求項１の発明によれば、それぞれにコンセントが配設されている複数の収納空所が各々扉によって個別に閉塞できるので、充電中の安全性を確保しつつ複数台の電気自動車を同時に充電することが可能となる。
【０００９】
請求項２の発明は、請求項１の発明において、スタンド本体に設けられる複数の扉のうちの少なくとも一つは、スタンド本体の周方向において他の扉と異なる位置に設けられることを特徴とする。
【００１０】
請求項２の発明によれば、スタンド本体の周方向において全ての扉が同じ位置に設けられる場合と比較して、充電ケーブルの電源プラグをコンセントに差込接続する際の作業性が向上するとともに充電中における充電ケーブルの引き回しが容易になる。
【００１１】
請求項３の発明は、請求項１又は２の発明において、複数の収納空所は、スタンド本体内部において縦方向に並設されていることを特徴とする。
【００１２】
請求項３の発明によれば、複数の収納空所がスタンド本体内部において横方向（水平方向）に並設される場合と比較して、スタンド本体を設置するために必要な面積（設置スペース）が少なくて済み、その結果、限られた土地（スペース）に設置可能な台数を増やすことができる。
【００１３】
請求項４の発明は、請求項１〜３の何れか１項の発明において、コンセントを保持する筐体に扉が回動自在に枢着されてなる複数のコンセントユニットを備え、これら複数のコンセントユニットがスタンド本体の各収納空所内にそれぞれ着脱自在に収納されてなることを特徴とする。
【００１４】
請求項４の発明によれば、コンセントと扉を筐体に取り付けてモジュール化したコンセントユニットを、スタンド本体の各収納空所内にそれぞれ着脱自在に収納しているので、コンセントの個数や位置を設置場所において自由に選択・変更することができて設置作業やメンテナンス作業が容易に行える。
【発明の効果】
【００１５】
本発明によれば、充電中の安全性を確保しつつ複数台の電気自動車を同時に充電することが可能となる。
【図面の簡単な説明】
【００１６】
【図１】本発明の実施形態を示し、（ａ）は扉が閉じ且つコンセントブロックが閉位置にある状態の正面図、（ｂ）は扉が開き且つコンセントブロックが開位置にある状態の正面図である。
【図２】同上の背板並びに最上部のコンセントブロック以外のコンセントブロックを外した状態の背面図である。
【図３】同上におけるコンセントユニットを示し、（ａ）は扉が閉じ且つコンセントブロックが閉位置にある状態の斜視図、（ｂ）は扉が開き且つコンセントブロックが開位置にある状態の斜視図である。
【図４】同上の一部省略した左側断面図である。
【図５】同上の扉が開き且つコンセントブロックが開位置にある状態を示す一部省略した斜視図である。
【図６】同上の扉が閉じ且つコンセントブロックが閉位置にある状態を示す一部省略した斜視図である。
【図７】（ａ）は同上の使用状態を説明するための平面図、（ｂ）は従来例の使用状態を説明するための平面図である。
【図８】本発明の別の実施形態を示し、扉が開き且つコンセントブロックが開位置にある状態の平面図である。
【発明を実施するための形態】
【００１７】
以下、図面を参照して本発明の実施形態を詳細に説明する。
【００１８】
本実施形態の電気自動車用充電スタンドは、図１に示すように電気自動車を駐車する地面に立設される筒状のスタンド本体１と、電気自動車を充電するための充電ケーブル１００（図７参照）の電源プラグ（図示せず）が挿抜自在に接続される複数（４つ）のコンセント２０と、スタンド本体１の周面に対して回動自在に設けられた複数（４つ）の扉１３とを備えている。
【００１９】
スタンド本体１は、長尺の矩形板状に形成された３枚の金属板（左側板２，右側板３，背板４）を組み立てることで前面並びに天面、底面がそれぞれ開口した角筒状に形成されている。また、スタンド本体１の最上部には円環状の蛍光ランプＦＬ（図３参照）が配設されており、アクリル樹脂などの透光性材料からなるランプカバー５がスタンド本体１の天面に取着されて蛍光ランプＦＬを覆っている。尚、蛍光ランプＦＬはスタンド本体１内に収納される点灯回路（図示せず）により、時刻あるいは周囲の明るさに応じて自動的に点灯・消灯する。
【００２０】
左側板２並びに右側板３の内側面には、幅細の矩形板状に形成された取付板６，６が上下方向に沿い且つ左右方向に突出するようにして形成されている（図２参照）。そして、取付板６，６には、後述するようにコンセントユニット１０を取り付けるための複数のねじ孔６ａが上下方向に沿って等間隔に貫設されている。
【００２１】
また、スタンド本体１前面における最上部並びに最下部には、矩形板状の上パネル７Ａ並びに下パネル７Ｂが取り付けられている。そして、スタンド本体１内において上パネル７Ａの下端から下パネル７Ｂの上端までの空間に、合計４つのコンセントユニット１０が縦方向（上下方向）に並べて収納される（図１参照）。
【００２２】
コンセントユニット１０は、図３に示すように前面並びに上部背面と天面及び底面が開口する角筒状に形成された筐体１１と、筐体１１内の上部に保持されるコンセントブロック１２と、筐体１１の下部前面を回動自在に閉塞する扉１３とを具備している。コンセントブロック１２は、コンセント２０を保持する保持体２１と、保持体２１の前面側に設けられる扁平な矩形箱状のコンセントパネル２２とを具備している。保持体２１は、図３（ｂ）並びに図４に示すように略台形状に形成された左右一対の側板２１ａ，２１ｂと、両側板２１ａ，２１ｂの下端縁を連結する矩形平板状の底板２１ｃとが一体に形成されている。そして、底板２１ｃの上面にコンセント２０が取り付けられ、底板２１ｃに貫設されている貫通孔２１ｄを通してコンセント２０の差込口２０ａが底板２１ｃの下面側に露出している（図３（ｂ）参照）。尚、コンセント２０は従来周知のものであって、差込口２０ａから差し込まれる電源プラグの接触子（栓刃）を受ける刃受（図示せず）や刃受を外部の電線と接続するための端子（図示せず）が絶縁材料製のケース（図示せず）に収納されて構成されている。
【００２３】
コンセントブロック１２は、コンセントパネル２２の左右両側面の上部において筐体１１上部の前部両側面に回動自在に軸支されるとともに、図示しないねじりコイルばねによってコンセントパネル２２の下端が前方へ移動する回動向き（以下、この回動向きを「開く向き」と呼ぶ。）に弾性付勢されている。すなわち、コンセントブロック１２は、図３（ａ）及び図４に示すようにコンセントパネル２２が筐体１１の上部前面を閉塞する閉位置と、図３（ｂ）に示すように保持体２１の底板２１ｃが筐体１１の前面（スタンド本体１の前面）よりも前方へ突出する開位置との間で回動自在となっている。また、コンセントブロック１２には、ねじりコイルばねのばね力に抗して閉位置を維持するためのプッシュラッチ（図示せず）と、コンセントブロック１２が閉位置から開位置に回動する速度を減速させるための減速機構（図示せず）が取り付けられている。
【００２４】
扉１３は扁平な矩形箱状に形成されており、図３（ｂ）に示すように上下一対のヒンジ部１４，１４によって右側端部が筐体１１の前面下部に軸支されている。また、扉１３の背面側には、硬貨を投入することで施錠可能となり且つ解錠すると施錠時に投入した硬貨が返却されるロック装置１５が取着されており、扉１３の前面にロック装置１５の鍵孔部１５ａが露出している。さらに、扉１３の背面側下部と筐体１１の内側面下部とがアーム機構１６によって連結されており、このアーム機構１６により扉１３の回動範囲が規制されるとともに扉１３が開位置（図３（ｂ）に示す位置。以下同じ。）で保持される。尚、扉１３が閉位置（図３（ａ）に示す位置。以下同じ。）にあるとき、扉１３の下端と筐体１１の下端との間に充電ケーブル１００を通すための隙間が空くようになっている。
【００２５】
また、コンセントユニット１０にはインターロック装置（図示せず）が設けられており、このインターロック装置によって、コンセントブロック１２が開位置にあるときはコンセント２０への通電がオフされ、コンセントブロック１２が閉位置にあるときにだけコンセント２０への通電がオンされるようになっている。
【００２６】
上述のように構成されるコンセントユニット１０は、前面側からスタンド本体１内の収納空所８内に収納され、一対の取付板６，６に対して筐体１１がねじ止めされることでスタンド本体１に対して固定される。ここで、図２に示すようにスタンド本体１には同一寸法の４つの収納空所８が上下方向に並設されており、これら４つの収納空所８の何れにもコンセントユニット１０を収納することができる。ここで、取付板６，６に取り付けられたコンセントユニット１０の筐体１１とスタンド本体１の背板４との間には外部から引き込まれる複数の電源ケーブル（図示せず）を左右方向に並べて配線するための配線スペースが設けられている（図４参照）。また、筐体１１の背面上部と背板４との間にそれぞれブレーカＢＲが設置され、配線スペースに配線された電源ケーブルがブレーカＢＲの１次側に接続されるとともに、ブレーカＢＲの２次側が図示しない電線によりインターロック装置を介してコンセント２０と接続されている。
【００２７】
次に、本実施形態の電気自動車用充電スタンドの使用手順について説明する。まず、扉１３を開いてからコンセントパネル２２の前面を押すと、プッシュラッチのラッチが外れてコンセントブロック１２が閉位置から開位置まで回動する（図５参照）。尚、コンセントパネル２２の下端部には、前後方向において扉１３の上端部と重なる規制片２２ａが下向きに突設されており、扉１３が閉まっている状態でプッシュラッチのラッチが外れても規制片２２ａが扉１３に当接することでコンセントブロック１２が回動しないようになっている。そして、充電ケーブル１００の電源プラグの接触子を差込口２０ａに差し込むことでコンセント２０に充電ケーブル１００を接続する。このとき、コンセント２０の差込口２０ａがスタンド本体１の前面よりも前方へ突出しているので、電源プラグを差込口２０ａに差し込む作業が容易に行えるものである。しかも、スタンド本体１前面より前方へ突出したコンセント２０の差込口２０ａが水平面よりも下を向いているため、雨天時に差込口２０ａに雨水が掛かるのを防ぐことができるものである。
【００２８】
電源プラグをコンセント２０に接続した後、コンセントパネル２２の前面を押してコンセントブロック１２を開位置から閉位置まで回動させるとともにプッシュラッチをラッチさせてコンセントブロック１２を閉位置に固定する。続いて、ロック装置１５に硬貨を投入してから扉１３を閉め、図示しない鍵を用いてロック装置１５を施錠する。このとき、充電ケーブル１００は閉めた扉１３の下端と、下側の収納空所８に収納されている別のコンセントユニット１０のコンセントパネル２２の上端との間に形成されている隙間を通してスタンド本体１の外に引き出される。
【００２９】
一方、電気自動車の充電が終了すれば、ロック装置１５を解錠して扉１３を開き、コンセントブロック１２を閉位置から開位置に回動した後、電源プラグをコンセント２０の差込口２０ａから引き抜く。ここで、コンセントブロック１２が開位置にあるときはインターロック装置によってコンセント２０への通電がオフされているため、電源プラグをコンセント２０の差込口２０ａに抜き差しする際の感電事故を防ぐことができる。
【００３０】
電源プラグをコンセント２０から引き抜いた後、コンセントパネル２２の前面を押してコンセントブロック１２を開位置から閉位置まで回動させるとともにプッシュラッチをラッチさせてコンセントブロック１２を閉位置に固定する。続いて、ロック装置１５から返却された硬貨を回収してから扉１３を閉める（図６参照）。
【００３１】
図７（ａ）は本実施形態の電気自動車用充電スタンドを駐車場に設置した状態を模式的に示した平面図であり、図７（ｂ）は特許文献１に記載されている電源ポール２００，２００を同じ駐車場に設置したときの平面図である。図７（ｂ）に示すように、従来の電源ポール２００では、電気自動車ＥＶを駐車する２台分のスペース毎に１台の電源ポール２００を設置しなければならず、しかも、２台の電気自動車ＥＶを同時に充電するためにはケーシングの扉を開いたままにしておかなければならない。そのため、電気自動車ＥＶの所有者が充電中に駐車場から離れた場合、充電ケーブル１００が持ち去られてしまったり、子供が悪戯でコンセント２０から充電ケーブル１００の電源プラグを引き抜いてしまうといった不具合の生じる虞がある。
【００３２】
これに対して本実施形態の電気自動車用充電スタンドでは、図７（ａ）に示すように電気自動車ＥＶを駐車する４台分のスペース毎に１台を設置すればよく、設置のためのコストが削減できるものである。さらに、それぞれにコンセント２０が配設されている収納空所（本実施形態においては収納空所８のうちのコンセントユニット１０の筐体１１内部）が扉１３によって個別に閉塞できるので、充電ケーブル１００の盗難防止や悪戯防止などの安全性を確保しつつ複数台の電気自動車ＥＶを同時に充電することが可能となる。
【００３３】
また本実施形態の電気自動車用充電スタンドでは、それぞれにコンセント２０（コンセントユニット１０）を収納するための複数の収納空所８がスタンド本体１内部において縦方向（上下方向）に並設されているため、複数の収納空所がスタンド本体内部において横方向（水平方向）に並設される場合と比較して、スタンド本体１を設置するために必要な面積（設置スペース）が少なくて済み、その結果、限られた土地（スペース）に設置可能な台数を増やすことができるという利点がある。さらに、コンセント２０と扉１３を筐体１１に取り付けてモジュール化したコンセントユニット１０を、スタンド本体１の各収納空所８内にそれぞれ着脱自在に収納する構造を採用しているので、コンセント２０の個数や位置（スタンド本体１に対する上下方向の位置）を設置場所において自由に選択・変更することができて設置作業やメンテナンス作業が容易に行えるという利点がある。
【００３４】
ところで、本実施形態の電気自動車用充電スタンドでは、スタンド本体１の周方向において４つの扉１３が全て同じ位置（スタンド本体１の前面）に設けられているが、これに限定されるものではなく、複数の扉１３のうちの少なくとも一つが他の扉１３と異なる位置に設けられていても構わない。例えば、図８はスタンド本体１を上方から見た平面図であり、４つの扉１３がそれぞれ角筒状のスタンド本体１の４つの面（前面、左側面、右側面、背面）に設けられている。このような構成を採用すれば、特に図７（ａ）に示すような設置状況において、それぞれの電気自動車ＥＶを充電するために充電ケーブル１００の電源プラグをコンセント２０に接続する際の作業性が向上するとともに、充電中における充電ケーブル１００の引き回しが容易になるという利点がある。但し、図８に示すように必ずしも４つの扉１３の位置を全て異ならせる必要はなく、スタンド本体１の３面（例えば、前面と左右両側面）あるいは２面（例えば、前面と背面）にのみ扉１３を設けても構わない。
【符号の説明】
【００３５】
１  スタンド本体
８  収納空所
１０  コンセントユニット
１３  扉
２０  コンセント
２０ａ  差込口
【図１】
2010279181.tif 000003
【図２】
2010279181.tif 000004
【図３】
2010279181.tif 000005
【図４】
2010279181.tif 000006
【図５】
2010279181.tif 000007
【図６】
2010279181.tif 000008
【図７】
2010279181.tif 000009
【図８】
2010279181.tif 000010